(57)【特許請求の範囲】
【請求項１】
一対の壁面取付用ブラケットと、該ブラケット間にアーチ状に弯曲して介在配備される可撓性支杆と、該可撓性支杆を挿脱自在に保持する支杆嵌挿部材と、該支杆に設けられたワイヤガイド部材とからなり、前記ブラケットの一方にそれぞれ固着した一対のワイヤを、一方のワイヤは前記ワイヤガイド部材を介して、また他のワイヤはワイヤガイド部材を介し或いは介さずに直接他方のブラケットに備えたワイヤホルダーそれぞれに挿脱自在に張装すると共に、両ワイヤに挿通されて係脱するグリップ部を有する棚受部材をそれぞれ設け、該棚受部材に棚板を定着または載置したことを特徴とする棚受用支持装置。
【請求項２】
前記可撓性支杆が、ガラス若しくはカーボンファイバ入り合成樹脂ロッド或いはパイプであって、ブラケットに橋絡して一対並列配備され、前記ワイヤを案内張装するガイド部材を備えた請求項１記載の棚受用支持装置。
【請求項３】
前記支杆嵌挿部材が、前記可撓性支杆の挿通孔を有し一端にフランジ部を有する中空筒体からなり筒体外周にネジ部を設けて、ナットを着脱自在に螺合して備えたブラケットに締着される請求項１または２記載の棚受用支持装置。
【請求項４】
前記ワイヤホルダーが、前記ブラケットに螺着結合される取付部を有し、ワイヤを嵌挿するワイヤ挿入部と、該ワイヤ挿入部中にワイヤを係脱するグリップ部を備え、該グリップ部をバネで一方向に付勢してワイヤを緊張する構成となっている請求項１，２または３記載の棚受用支持装置。
【請求項５】
前記棚受部材が、棚板を挿入しうる凹部を片側または両側に有し、ワイヤを嵌挿するワイヤ挿入部と、該挿入部中にワイヤを係脱するグリップ部とを有する請求項１，２，３または４記載の棚受用支持装置。
【請求項６】
一対の壁面取付用ブラケットと、該ブラケット間にアーチ状に弯曲して介在配備される可撓性支杆と、該可撓性支杆を挿脱自在に保持する支杆嵌挿部材と、該支杆に設けられるワイヤガイド部材とからなり、前記ブラケットの両方に固着した一対のワイヤそれぞれを、ワイヤホルダーにより張装接続すると共に、両ワイヤに挿通されて係脱するワイヤグリップ部を有する棚受部材をそれぞれ設け、該棚受部材に棚板を定着または載置したことを特徴とする棚受用支持装置。
【請求項７】
前記ワイヤホルダーが、ワイヤ係支用フックを一端に備え、かつワイヤグリップ部を内装したケーシングと、該ケーシングの一端に着脱自在に備えた保護キャップとからなり、前記保護キャップ内のワイヤグリップ部をロック部材で固定保持したものである請求項６記載の棚受用支持装置。
【請求項８】
前記ワイヤグリップ部が、前記ケーシングの一端内周面に形成したテーパー面にバネにより当接するコーン部と、ワイヤ挿入孔とを持ち、該コーン部に複数設けたボール挿入孔内に嵌装したボールを備えたスリーブと、該スリーブをケーシング内に摺動自在に嵌挿して、前記ボールでワイヤを挾持する構成となっている請求項１，２，３，４，５，６または７記載の棚受用支持装置。
【請求項９】
前記ワイヤガイド部材が、壁面に当接またはワイヤに橋絡する支持用アームを突設されている請求項６，７または８記載の棚受用支持装置。
【発明の詳細な説明】
【０００１】
【発明の属する技術分野】
本発明は、棚板、ディスプレー、パネル額、ハンガー、その他インテリア用構造体を店頭、家庭、展示場などに陳列装備するための棚受用支持装置に関するものである。
【０００２】
【従来の技術】
従来、装飾品或いはその他物品を壁面に飾り付ける際に棚板などを取付けて載せることがあるが、壁面に間隔をあけて多孔板のボードを固着してボードに取付けた棚受金具に棚板を載せたり、壁面に取付けた支柱から支持アームを突設し、この支持アームに棚板を載せるタイプやボックス型の棚を壁面に配備するなど種々の棚設置のタイプがある。
【０００３】
【発明が解決しようとする課題】
ところが、これら従来のタイプでは壁面を覆って隠してしまうが多いほか、取付支持部材の存在で壁面の美観を損なうことが多く体裁が悪い欠点があると共に、組立構成もやっかいで、その上棚板の配置変更などのために棚板の高さを任意に選ぶことが必要な場合には、取扱上きわめて煩雑であり、できても段階的な変更で無段階に調整することができなかったり、構造が複雑になってうっとうしさがあってすっきりした感じが出せないし、デザインに限界があるなど、外観上、或いはコスト的にも問題があった。
本発明は、これら従来の欠点を排除しようとするもので、取扱い容易であって、棚板などの物品設定位置調整も簡単で、かつ互換性にも富み、体裁も著しく良く審美感をも向上でき、構成簡単で低コストな棚受用支持装置として提供することを目的としたものである。
【０００４】
【課題を解決しようとする手段】
本発明は、一対の壁面取付用ブラケットと、該ブラケット間にアーチ状に弯曲して介在配備される可撓性支杆と、該可撓性支杆を挿脱自在に保持する支杆嵌挿部材と、該支杆に設けられたワイヤガイド部材とからなり、前記ブラケットの一方にそれぞれ固着した一対のワイヤを、一方のワイヤは前記ワイヤガイド部材を介して、また他のワイヤはワイヤガイド部材を介さずに直接他方のブラケットに備えたワイヤホルダーそれぞれに挿脱自在に張装すると共に、両ワイヤに挿通されて係脱するグリップ部を有する棚受部材をそれぞれ設け、該棚受部材に棚板を定着または載置したものである。
【０００５】
【発明の実施の形態】
本発明の実施形態では、ブラケットを所定間隔に取付配置すれば、可撓性支杆は支杆嵌挿部材に挿入するとアーチ状に弯曲して固定化され、かつ一対のワイヤを上方のブラケットに固着吊重して下方のブラケットに張装するのに、予めワイヤにグリップ部を有する棚受部材を挿入配備させて、一方のワイヤは可撓性支杆にあるワイヤガイド部材を介して、また他方のワイヤはワイヤガイド部材を介さずに直接他方のブラケットに備えたワイヤホルダーにそれぞれワンタッチで挿通張装し、前記棚受け部材に棚板を定着または載置して用いられる。さらにこの棚板の取付位置も棚受部材にあるグリップ部でワイヤ上に自由に無段階に移動できるので取扱いが簡便であり、棚受用支持装置の構成や、取付、取外し作業も極めて簡単迅速にでき周囲の美観を損なうことなく使用できるものである。
【０００６】
【実施例】
本発明の実施例を図１乃至図６の例で説明すると、対向して配備される一対の壁面取付用ブラケット１，２と、該ブラケット１，２間にアーチ状に弯曲して介在配備される可撓性支杆３と、該可撓性支杆３を挿脱自在に保持する支杆嵌挿部材４，５と、該支杆３に設けられたワイヤガイド部材６とからなり、前記ブラケット１の一方にそれぞれ固着した一対のワイヤ７，８を、一方のワイヤ７は前記ワイヤガイド部材６を介して、また他のワイヤ８はワイヤガイド部材６を介さずに直接他方のブラケット２に備えたワイヤホルダー９，１０それぞれに挿脱自在に張装すると共に、両ワイヤ７，８に挿通されて係脱するグリップ部１２1 ，１３1 を有する棚受部材１２，１３をそれぞれ設け、該棚受部材１２，１３にガラス板などの棚板１１を定着または載置して棚受用支持装置としてある。
【０００７】
前記可撓性支杆３としては、ガラス若しくはカーボンファイバ入り合成樹脂ロッド或いはパイプであって、ブラケット１，２に橋絡して一本または一対並列配備され、前記ワイヤ７を案内張装するガイド部材６を備えワイヤ７を可撓性支杆３に沿わせて張装できるようにすると共に、ワイヤガイド部材６、例えば円筒体に設けた二つの貫通孔６1 に支杆３，３をそれぞれ嵌挿して、かつ固定ネジ６2 で保持し両支杆３，３の連結強化を図り、中央部にワイヤ挿通孔６3 を設けてネジ６4 で締め付け固定化できるようにするのがよい（図３ｂ）が、円筒体の外周に凹溝（図示せず）を設けてワイヤ７を嵌め込みガイドするようにすることもできる。
【０００８】
また、前記支杆嵌挿部材４は、前記可撓性支杆３の挿通孔４1 を有し、一端にフランジ部４2 を有する中空筒体からなり、筒体外周にネジ部を設けて、ナット４3 を着脱自在に螺合して備えブラケット１に締着されるが、前記挿通孔４1 に接着剤を必要に応じ充填して支杆３を固着してもよい。なおブラケット２側の支杆嵌挿部材５も同様の構成のものを用いるのが便利である。
【０００９】
さらに前記ワイヤホルダー９，１０は同じ構成のものを用いてあり、説明上ワイヤホルダー９で説明すると、ワイヤホルダー９は前記ブラケット１，２にナッド１４1 で螺着結合される取付部１４を有し、ワイヤ７を嵌挿するワイヤ挿入部１５と、該ワイヤ挿入部１５中にワイヤ７を係脱するボール１６のあるグリップ部材１７とを備え、該グリップ部材１７をバネ１８で一方向に付勢してワイヤ７を緊張する構成となっている。（図４）
即ち、円筒ケーシング１９中にバネ２２で一方向に付勢したスリーブ２１内に前記グリップ部材１７が摺動自在に内装され、取付部１４を螺合定着して封入され、該グリップ部１７はワイヤ挿入部１５を持ったスリーブでバネ１８で付勢され、一端内周面に形成した一方が小径となるテーパー面に当接するコーン部と、該コーン部に設けた複数のボール挿入孔内に嵌装したボール１６とを備えて座金２０で封入したものであって、コーン部がテーパー面に対して移動した時に、各ボール１６間が接離してワイヤ挿入孔１５に挿通されるワイヤ７を係脱するものが用いられる。この場合、ワイヤ７をワイヤ挿入部１５から差し込めば、ボール１６間に挿入されてチャッキングされ引き抜けないが、グリップ部１７をバネ１８に抗して押し込めば、ボール１６間が開いてワイヤ７を抜き取ることができる。（図５）
また、ワイヤ７をチャッキングロックされた状態でスリーブ２１がバネ２２に抗してケーシング１９内で移動するので若干の衝撃外力に対して逃げあってワイヤ７を安全に用いることができる。
【００１０】
なお、前記ワイヤ７，８に挿通配備される前記棚受部材１２，１３は図６に示すように、棚板１１を挿入しうる凹部２３を片側または両側に有し、ワイヤ７を嵌挿するワイヤ挿入部２５と、該挿入部２５中にワイヤ７を係脱するグリップ部材２７とを有し、前記棚板１１を固着する定着ネジ２４が備えられている。
この場合、グリップ部材２７は前記グリップ部材１７と同様な構成のものを用いるのが便利で、例えばワイヤ挿入部２５中にワイヤ７を係脱するボール２７を複数有するスリーブをバネ２８で一方向に付勢して一端内周面に形成したテーパー面に当接するもので、棚受部材１２をワイヤ７上に沿って上方向にはフリーで移動でき、下方向にはスリーブをバネ２８に抗して押し込み、テーパー面から外してボール２７間を開いてワイヤ７上に沿って移動できるようにし、棚板１１の配置が替えられるようにしてある。
【００１１】
図７乃至図９の具体例では、ブラケット１，２に可撓性支杆３，３を一対並列配備し、該可撓性支杆３，３に設けたワイヤガイド部材６に壁面に当接する支持用アーム３６を突設したものを用いたもので、保持安定性を増加させてあり、支杆３の弦の形状もさらに強固となる。
そして一対の壁面取付用ブラケット１，２間にアーチ状に弯曲して介在される可撓性支杆３を支杆嵌挿部材４，５に嵌入保持して、前記両ブラケット１，２に固着した一対のワイヤ７，８をそれぞれワイヤホルダー２９，３０により張装接続し、両ワイヤ７，８に挿通されて係脱するワイヤグリップ部１２1 ，１３1 のある棚受部材１２，１３を設けてある。
【００１２】
この場合、前記ワイヤホルダー２９，３０は、図９に示す如く、ワイヤ係止用フック３１を一端に備え、かつワイヤグリップ部３２を内装したケーシング３３と、該ケーシング３３の一端に着脱自在に備えた保護キャップ３４とからなり前記保護キャップ３４内のワイヤグリップ部３２を螺合するロック部材３５で固定保持したものを用いてある。
【００１３】
なお、前記ワイヤグリップ部３２としては、前例と同様に前記ケーシング３３の一端内周面に形成したテーパー面にバネ３７により当接するコーン部とワイヤ挿入孔３８とを持ち、該コーン部に複数設けたボール挿入孔内に嵌装したボール３９を備えたスリーブとし、該スリーブをケーシング３３内に摺動自在に嵌挿して前記ボール３９でワイヤ７を挾持する構成となっていて、ワイヤ７の差し込み時にはボール３９間に容易に挿入できてワイヤの接続ができ、挿入後はボールでチャッキングロックされて抜き取り方向にはスリーブ（ワイヤグリップ部材３２）は動かない。また一方、ワイヤ７の抜き取り時には保護キャップ３４を外して前記ロック部材３５を弛めて移動させワイヤグリップ部材３２をバネ３７に抗して押し込めば、ボール３９間が開いてワイヤ７を容易に抜き取ることができる。
【００１４】
前記ワイヤホルダー２９，３０のフック３１には、ワイヤ７の一端にリングを形成して引掛けるようにするのが便利であり、ワイヤ７，８の前記ブラケット１，２〜の固着にはワイヤ挿通孔より大径のストッパ部材７1 ，８1 を設けて定着できるようにするのがよい。これは、前例のようなブラケット１，２に固着したワイヤホルダー９，１０に代替できるものではあるが、同形例えば、ワイヤホルダー９，１０を設けたブラケット１を上下位置に設けて用いることもできるし、孔明きタイプのブラケット１を単独または両方、さらには前例と組合せて用いてワイヤ７，８の連結状態を維持することが選択できる。
【００１５】
また、前記可撓性支杆３のアーチ状の弯曲度は、棚板１１の寸法差によって若干調整できるがブラケット１，２間の設定位置によっても調整でき、いずれの場合も壁面に対して棚板１１の押しつけ方向の力が作用して、振れ止め機能をも発揮でき安定性がでるように配慮することが好ましい。
さらに、ワイヤホルダー９，１０、または２９，３０では引張り用金具として用いて、例えばターンバックル方式でワイヤ７，８のテンションを調整するタイプとすることも有効である。
【００１６】
前記可撓性支杆３は、支杆嵌挿部材４，５に差込んで用いる方式と予め支杆嵌挿部材４，５に接着剤を入れて可撓性支杆３と固着しておいて用いる方式とが選べるが、壁面に取付けたブラケット１，２に支杆嵌挿部材４，５を介して可撓性支杆３の弦を張る。該支杆３にはワイヤガイド部材６を通しておき所定位置に固定してブラケット１，２とワイヤガイド部材６との間に棚受部材１２のあるワイヤ７を張装し、ブラケット１，２間を直線で結ぶワイヤ８を取付けて、各ワイヤ７，８にある棚受部材１２，１３に棚板１１を固定して吊りを兼ねたデザイン的に優れた棚受用支持構造となり、安定した壁取付け什器として用いられるものである。
【００１７】
図１０乃至図１４の具体例では、壁面取付用ブラケット１，２間にアーチ状に介在される可撓性支杆３に設けられたワイヤガイド部材６に支持用アーム３６を接続連結し、即ちワイヤガイド部材６の嵌合孔に支持用アーム３６を嵌装し、該支持用アーム３６の端部はワイヤ８のグリップ部材４０に対して転動自在にジョイント部４１が設けられていて、該ジョイント部４１に連結され、一対のワイヤ７，８を橋絡保持する突張り片として或いは壁面に当接する突張り片として用いて、可撓性支杆３の補強をも兼ねた構成としたもので壁面への定着性を良好にしてある。
【００１８】
この場合、支杆嵌挿部材４，５は、各ブラケット１，２に回動自在に枢着した中空状の鞘体を用いて前記支杆３を差し込むことができるようにし、該ブラケット１，２に自在継手４９，５０を介して設けられたワイヤホルダー９，１０でワイヤ７，８を緊張配備できるようにし、棚板１１をワイヤ７，８に定着した棚受部材１２，１３で所定位置に装着する。
【００１９】
前記自在継手４９，５０は、球形ボルトでワイヤホルダー９，１０を接続連結し、各ブラケット１，２にワイヤホルダー９，１０を変位自在に備え、ワイヤー７，８をワイヤホルダー９，１０間に張装できるようにしてある。なおワイヤ７，８には図１３に示すように一端に球状のストッパ部材８1 を設けてワイヤホルダー９のキャップ４８で支承し、他端はワイヤホルダー１０、例えば円筒ケーシング中にバネ４２で一方向に付勢したグリップ部４７とバネ４４で反対方向に付勢したカラー４５とを内装し、ロックピン４６1 のあるスリーブ４６をホルダー９を介して自在継手５０に連結し、グリップ部４７でワイヤ８をチャッキングロックできるようにし自在継手５０のあるホルダー９とスリーブ４６とは螺合し、同一ネジ規格とし、スリーブ４６をねじ込みながらワイヤ８を張るようにし衝撃外力に対してグリップ部４７に逃げがあってワイヤ８を安全に用いることができる。
【００２０】
なお、前記グリップ部４７にはストッパキャップ４７1 を接続してグリップ部４７の動きを規制してずれ防止に役立ててある。（図１３）
また、前記ジョイント部４１のグリップ部材４０は、球形ケース内にボール５１のあるスリーブ５２をバネ５３及びバネ押え５４でテーパー面に圧接させたものが用いられジョイント部４１の嵌合孔にニップル５５で転動自在に装入されワイヤ８に沿った方向に指向保持されるようになっている。（図１４）
【００２１】
図１５及び図１６の具体例では、可撓性支杆３の支杆嵌挿部材４，５のある壁面取付用ブラケット１，２にワイヤホルダー９，１０を備え、該ワイヤホルダー９，１０に張装するワイヤ８をプーリー５６を介して掛装したもので、該プーリー５６はブラケット１に取付片５７で回転自在に備えてある。この場合ブラケット１に備えられるワイヤホルダー９は省略でき、プーリー５６でワイヤ８を反転しワイヤガイド部材６を介してワイヤ８の間隔を拡げて張装できる。
【００２２】
【発明の効果】
本発明は、一対の壁面取付用ブラケットと、該ブラケット間にアーチ状に弯曲して介在配備される可撓性支杆と、該可撓性支杆を挿脱自在に保持する支杆嵌挿部材と、該支杆に設けられたワイヤガイド部材とからなり、前記ブラケットの一方にそれぞれ固着した一対のワイヤを、一方のワイヤは前記ワイヤガイド部材を介して、また他のワイヤはワイヤガイド部材を介さずに直接他方のブラケットに備えたワイヤホルダーそれぞれに挿脱自在に張装すると共に、両ワイヤに挿通されて係脱するグリップ部を有する棚受部材をそれぞれ設け、該棚受部材に棚板を定着または載置したことにより、組立取付けがすこぶる楽にでき取扱い容易であって、棚板などの物品設定位置調整も簡単で、かつ互換性にも富み、体裁も著しく良く審美感をも向上でき、構成簡単で低コストな棚受用支持装置とすることができる。
【図面の簡単な説明】
【図１】本発明の実施例を示し、（ａ）はその正面図、（ｂ）は側面図、（ｃ）はＡ−Ａ線における分離状態の拡大縦断面図である。
【図２】図１の例の斜視図である。
【図３】図１の例の一部を示し、（ａ）はその拡大側面図、（ｂ）はワイヤガイド部材の拡大正面図である。
【図４】（ａ）は図３のＢ−Ｂ線における分離状態の拡大縦断面図、（ｂ）はＣ−Ｃ線における平面図である。
【図５】図４のＤ−Ｄ線における拡大縦断面図である。
【図６】本発明で用いられる棚受部材の一例を示し、（ａ）はシングルタイプの使用状態の斜視図、（ｂ）はその縦断面図、（ｃ）はダブルタイプの使用状態の斜視図である。
【図７】本発明の他の実施例の斜視図である。
【図８】本発明のさらに他の実施例の側面図である。
【図９】図８のＥ−Ｅ線における拡大縦断面図である。
【図１０】本発明の他の実施例を示し、（ａ）はその正面図、（ｂ）は側面図である。
【図１１】図１０の例の一部の拡大詳細を示し、（ａ）は正面図、（ｂ）は側面図である。
【図１２】図１０の例で用いられるワイヤガイド部材を示し、（ａ）はその正面図、（ｂ）は側面図、（ｃ）は平面図である。
【図１３】図１１の例のワイヤホルダを示し、（ａ）は図１１のＦ−Ｆ線における拡大縦断面図、（ｂ）は一部の分離状態の斜視図である。
【図１４】図１２のＧ−Ｇ線における拡大縦断面図である。
【図１５】本発明のまたさらに他の実施例の一部の拡大詳細を示し、（ａ）はその正面図、（ｂ）は側面図である。
【図１６】図１５のＨ−Ｈ線における拡大縦断面図である。
【符号の説明】
１，２  ブラケット
３      支杆
４，５  支杆嵌挿部材
６      ワイヤガイド部材
７，８  ワイヤ
９，１０  ワイヤホルダー
１１    棚板
１２，１３  棚受部材
１２1 ，１３1   グリップ部
【図１】
0003937031.tif 000002
【図２】
0003937031.tif 000003
【図３】
0003937031.tif 000004
【図４】
0003937031.tif 000005
【図５】
0003937031.tif 000006
【図６】
0003937031.tif 000007
【図７】
0003937031.tif 000008
【図８】
0003937031.tif 000009
【図９】
0003937031.tif 000010
【図１０】
0003937031.tif 000011
【図１１】
0003937031.tif 000012
【図１２】
0003937031.tif 000013
【図１３】
0003937031.tif 000014
【図１４】
0003937031.tif 000015
【図１５】
0003937031.tif 000016
【図１６】
0003937031.tif 000017